(57)【特許請求の範囲】
【請求項１】
画像データを入力する入力手段と、前記入力手段から入力される画像データを蓄積する蓄積手段とを備えるとともに、前記蓄積手段に蓄積された画像データに基づいて表示画像を生成する表示画像生成手段と、前記表示画像生成手段により生成された表示画像を表示する表示画面を備えた表示手段と、前記入力手段から入力される画像データに基づく表示画像を前記表示手段にプレビュー表示する機能を備えた表示制御手段とを具備する画像表示操作装置を備える画像形成装置において、
前記入力手段は、画像データの入力を終了した後に、新たな画像データを追加入力する機能を備え、
前記表示画像生成手段は、前記蓄積手段に蓄積された追加入力される以前に入力された画像データに基づく表示画像と、追加入力された画像データに基づく表示画像とを、それぞれ生成する機能を備え、
前記表示制御手段は、新たな画像データが追加入力されたとき、新たな画像データが追加入力される毎に、追加入力された画像データに基づく表示画像をプレビュー表示された表示画像に順次重ねて配置するように、画像データが追加入力される以前に入力された画像データに基づく表示画像と、追加入力された画像データに基づく表示画像とを前記表示手段の同一の表示画面上で識別可能にプレビュー表示する機能を備えることを特徴とする画像形成装置。
【発明の詳細な説明】
【技術分野】
【０００１】
本発明は、複写機やプリンタ、ファクシミリ等の画像形成装置に係り、特に、複数ページの原稿画像をプレビュー表示可能な画像表示操作装置を備えた画像形成装置に関する。
【背景技術】
【０００２】
近年、複数ページの原稿画像をプレビュー表示可能な画像表示操作装置を備えた画像形成装置が知られている。このような画像形成装置によれば、ジョブの実行前に事前に原稿をスキャン（プリスキャン）した処理結果を表示画面上にプレビュー表示することで、出力する前に読み取った原稿を確認することができる。
【０００３】
従来技術として、例えば、出力イメージをプレビュー表示するプレビュー表示機能を備えた画像形成装置において、前方ジャンプ指令を入力するための第１入力手段、後方ジャンプ指令を入力するための第２入力手段、第１手段によって前方ジャンプ指令が入力されたときには、プレビュー表示するページを現在プレビュー表示されているページが属している画像読取ステップより１つ前方の画像読取ステップの先頭ページに変更させる手段、ならびに第２手段によって後方ジャンプ指令が入力されたときには、プレビュー表示するページを現在プレビュー表示されているページが属している画像読取ステップより１つ後方の画像読取ステップの先頭ページに変更させる手段を備えたものが開示されている（特許文献１を参照）。
【０００４】
上述した画像処理装置によれば、連続読み込みコピー機能によって原稿画像が読み込まれた場合に、前方ジャンプボタンもしくは後方ジャンプボタンを操作することによって、現在表示中の原稿束のプレビュー表示から、その前後に読込んだ原稿束のプレビュー表示に迅速に切替えることができる。
【先行技術文献】
【特許文献】
【０００５】
【特許文献１】特開２００８−３０６４６９号公報
【発明の概要】
【発明が解決しようとする課題】
【０００６】
しかしながら、特許文献１に記載の技術では、原稿束単位での確認は可能だが、原稿束間の相関性が確認し難いため、読込んだ原稿の全体像を把握しづらいという問題がある。
また、原稿束単位で確認を行う際に、異なる原稿束を確認するごとに画面の切替えが必要なため、ユーザに煩わしさを感じさせるおそれがある。
【０００７】
本発明は、上記従来の課題に鑑みてなされたものであり、画像形成装置において、読み込んだ原稿束の表示画像をプレビュー表示可能な表示画面を切換えることなく、各原稿束の内容や原稿束間の相関性を確認することができ、読込んだ原稿の全体像を把握しやすくできる画像形成装置を提供することを目的とする。
【課題を解決するための手段】
【０００８】
本発明は、画像データを入力する入力手段と、前記入力手段から入力される画像データを蓄積する蓄積手段とを備えるとともに、前記蓄積手段に蓄積された画像データに基づいて表示画像を生成する表示画像生成手段と、前記表示画像生成手段により生成された表示画像を表示する表示画面を備えた表示手段と、前記入力手段から入力される画像データに基づく表示画像を前記表示手段にプレビュー表示する機能を備えた表示制御手段とを具備する画像表示操作装置を備える画像形成装置において、前記入力手段の構成として、画像データの入力を終了した後に、新たな画像データを追加入力する機能を備え、前記表示画像生成手段の構成として、前記蓄積手段に蓄積された追加入力される以前に入力された画像データに基づく表示画像と、追加入力された画像データに基づく表示画像とを、それぞれ生成する機能を備え、前記表示制御手段の構成として、新たな画像データが追加入力されたとき、新たな画像データが追加入力される毎に、追加入力された画像データに基づく表示画像をプレビュー表示された表示画像に順次重ねて配置するように、画像データが追加入力される以前に入力された画像データに基づく表示画像と、追加入力された画像データに基づく表示画像とを前記表示手段の同一の表示画面上で識別可能にプレビュー表示する機能を備えることを特徴とするものである。
【００１４】
なお、本発明において、前記最小イメージ画像は、前記表示画像を識別可能な程度に縮小表示したものや、絵や文字を用いたいわゆるアイコン表示したものであってもよい。
【発明の効果】
【００１６】
本発明によれば、画像データを入力する入力手段と、前記入力手段から入力される画像データを蓄積する蓄積手段とを備えるとともに、前記蓄積手段に蓄積された画像データに基づいて表示画像を生成する表示画像生成手段と、前記表示画像生成手段により生成された表示画像を表示する表示画面を備えた表示手段と、前記入力手段から入力される画像データに基づく表示画像を前記表示手段にプレビュー表示する機能を備えた表示制御手段とを具備する画像表示操作装置を備える画像形成装置において、前記入力手段の構成として、画像データの入力を終了した後に、新たな画像データを追加入力する機能を備え、前記表示画像生成手段の構成として、前記蓄積手段に蓄積された追加入力される以前に入力された画像データに基づく表示画像と、追加入力された画像データに基づく表示画像とを、それぞれ生成する機能を備え、前記表示制御手段の構成として、新たな画像データが追加入力されたとき、新たな画像データが追加入力される毎に、追加入力された画像データに基づく表示画像をプレビュー表示された表示画像に順次重ねて配置するように、画像データが追加入力される以前に入力された画像データに基づく表示画像と、追加入力された画像データに基づく表示画像とを前記表示手段の同一の表示画面上で識別可能にプレビュー表示する機能を備えることで、前記表示手段の表示画面を切替えることなく、各表示画像の内容や表示画像間の相関性の確認が可能となり、入力された画像データの全体像を容易に把握することができる。
【図面の簡単な説明】
【００２３】
【図１】本発明の実施形態に係る画像形成装置の全体の構成を示す説明図である。
【図２】前記画像形成装置の内部構成を簡略化して示す説明図である。
【図３】前記画像形成装置のハードウェア構成を示す機能ブロック図である。
【図４】前記画像形成装置のタッチパネルディスプレイの表示領域を示す説明図である。
【図５】前記タッチパネルディスプレイに表示される画面例を示す説明図である。
【図６】前記タッチパネルディスプレイに表示されるプレビュー領域を変更した状態を示す説明図である。
【図７】前記タッチパネルディスプレイを構成する表示パネルの表示態様の一例を示す説明図である。
【図８】前記画像形成装置における操作ユニットの電気的構成を示すブロック図である。
【図９】前記操作ユニットを構成するタッチパネルディスプレイの構成を示すブロック図である。
【図１０】実施例１の画像形成装置における原稿読取り後のタッチパネルディスプレイ上に表示される原稿束のプレビュー表示を示す説明図である。
【図１１】実施例１において原稿読取り後に追加読取りを行った場合の追加原稿束を含む複数の原稿束のプレビュー表示を示す説明図である。
【図１２】実施例１においてさらに追加読取りを行った場合の追加原稿束を含む複数の原稿束のプレビュー表示を示す説明図である。
【図１３】実施例１の画像形成装置におけるタッチパネルディスプレイ上で所望の原稿束を選択して表示した一例を示す説明図である。
【図１４】前記タッチパネルディスプレイ上で表示された原稿束のその他の例を示す説明図である。
【図１５】前記タッチパネルディスプレイ上で選択された原稿束のみを表示した例を示す説明図である。
【図１６】実施例２の画像形成装置における原稿読取り後のタッチパネルディスプレイ上に表示される原稿束のプレビュー表示を示す説明図である。
【図１７】実施例２において原稿読取り後に追加読取りを行った場合の追加原稿束を含む複数の原稿束のプレビュー表示を示す説明図である。
【図１８】実施例２においてさらに追加読取りを行った場合の追加原稿束を含む複数の原稿束のプレビュー表示を示す説明図である。
【図１９】実施例２の画像形成装置におけるタッチパネルディスプレイ上で所望の原稿束を選択して表示した一例を示す説明図である。
【図２０】前記タッチパネルディスプレイ上で表示された原稿束のその他の例を示す説明図である。
【図２１】前記タッチパネルディスプレイ上で選択された原稿束のみを表示した例を示す説明図である。
【図２２】実施例３の画像形成装置における原稿読取り後のタッチパネルディスプレイ上に表示される原稿束のプレビュー表示を示す説明図である。
【図２３】実施例３において原稿読取り後に追加読取りを行った場合の追加原稿束を含む複数の原稿束のプレビュー表示を示す説明図である。
【図２４】実施例３においてさらに追加読取りを行った場合の追加原稿束を含む複数の原稿束のプレビュー表示を示す説明図である。
【図２５】実施例３の画像形成装置におけるタッチパネルディスプレイ上で所望の原稿束を選択して表示した一例を示す説明図である。
【図２６】前記タッチパネルディスプレイ上で表示された原稿束のその他の例を示す説明図である。
【図２７】前記タッチパネルディスプレイ上で表示された原稿束のその他の例を示す説明図である。
【図２８】前記タッチパネルディスプレイ上で選択された原稿束のみを表示した例を示す説明図である。
【図２９】実施例４の画像形成装置における原稿読取り後のタッチパネルディスプレイ上に表示される原稿束のプレビュー表示を示す説明図である。
【図３０】実施例４において原稿読取り後に追加読取りを行った場合の追加原稿束のプレビュー表示を示す説明図である。
【図３１】実施例４においてさらに追加読取りを行った場合の追加原稿束のプレビュー表示を示す説明図である。
【図３２】実施例４の画像形成装置におけるタッチパネルディスプレイ上で所望の原稿束を選択して表示した一例を示す説明図である。
【図３３】前記タッチパネルディスプレイ上で表示された原稿束のその他の例を示す説明図である。
【図３４】前記タッチパネルディスプレイ上で表示された原稿束のその他の例を示す説明図である。
【図３５】前記タッチパネルディスプレイ上で選択された原稿束のみを表示した例を示す説明図である。
【図３６】実施例５の画像形成装置における原稿読取り後のタッチパネルディスプレイ上に表示される原稿束のプレビュー表示を示す説明図である。
【図３７】実施例５において原稿読取り後に追加読取りを行った場合の追加原稿束のプレビュー表示を示す説明図である。
【図３８】実施例５においてさらに追加読取りを行った場合の追加原稿束のプレビュー表示を示す説明図である。
【図３９】実施例５の画像形成装置におけるタッチパネルディスプレイ上でフォルダ内をプレビュー表示した一例を示す説明図である。
【図４０】前記タッチパネルディスプレイ上に表示されるプレビュー表示のその他の例を示す説明図である。
【図４１】前記タッチパネルディスプレイ上にフォルダのみを表示した例を示す説明図である。
【図４２】実施例５におけるフォルダ内の表示の一例を示す説明図である。
【図４３】実施例５のフォルダ内から所望の原稿束を選択してタッチパネルディスプレイ上に表示した一例を示す説明図である。
【図４４】前記タッチパネルディスプレイ上で表示された原稿束のその他の例を示す説明図である。
【図４５】前記タッチパネルディスプレイ上で表示された原稿束のその他の例を示す説明図である。
【図４６】前記タッチパネルディスプレイ上で選択された原稿束のみを表示した例を示す説明図である。
【発明を実施するための形態】
【００２４】
以下、本発明の実施形態について図面を参照して説明する。
図１は発明を実施する形態の一例であって、本発明の実施形態に係る画像形成装置の全体の構成を示す説明図、図２は前記画像形成装置の内部構成を簡略化して示す説明図、図３は前記画像形成装置のハードウェア構成を示す機能ブロック図、図４は前記画像形成装置のタッチパネルディスプレイのプレビュー表示領域を示す説明図、図５は前記タッチパネルディスプレイに表示される画面例を示す説明図、図６は前記タッチパネルディスプレイに表示されるプレビュー領域を変更した状態を示す説明図である。
【００２５】
本発明の実施形態は、図１に示すように、画像データを入力する原稿読取部（入力手段）１０２と、原稿読取部１０２により入力された画像データに基づいて記録媒体上に画像を形成する画像形成部１０４と、画像データに基づいてプレビュー画像を表示する表示パネル（表示手段）１３２と原稿読取部１０２から入力される画像データに基づく表示画像を表示パネル１３２上にプレビュー表示する操作ユニット側制御部（表示制御手段）１３１（図９を参照）とを具備する操作ユニット（画像表示操作装置）１２０とを備える画像形成装置１００において、操作ユニット側制御部１３１の構成として、本発明に係る画像形成装置の構成を採用したものである。
【００２６】
表示パネル１３２に表示される複数原稿画像は、画像形成装置１００の原稿読取部などから取り込まれた原稿画像の形態をプレビュー表示するものであり、且つ、画像形成部から記録用紙上に形成される画像の出力形態を仕上がりプレビュー画像として表示するものである。
【００２７】
本実施形態に係る画像形成装置１００は、画像処理装置の１種である画像形成装置である。本発明に係る画像表示操作装置の適用は、このような画像形成装置以外の画像処理装置または電子機器であっても構わない。
【００２８】
また、本実施形態に係る画像形成装置１００は、複数の動作モードを備え、その動作モードが切り換えられて表示機器の画面が切り換えられた場合において、ユーザが画面構成を覚えていなくても、ユーザが求める情報をユーザが容易に取得することができるように、情報を表示する表示機器を備えた装置であればよい。
【００２９】
なお、本実施形態に係る画像形成装置１００は、ジェスチャー操作方法とジェスチャー操作によらないタッチ操作方法とにより操作が可能なタッチパネルディスプレイ（操作画面）を備えるとするが、タッチ操作のみが可能なタッチパネルディスプレイを備える装置であってもよく、さらには、操作が不可能な表示のみ可能な表示パネルおよび操作用のボタンを備える装置であってもよい。
【００３０】
この画像形成装置１００は、電子写真方式により記録用紙に画像を形成する。
また、画像形成装置１００は、動作モードとして、コピーモード、ファクシミリモード（ＦＡＸモード）、ドキュメントファイリングモード（スキャンした画像を画像形成装置内部の記憶装置に記憶するモード）およびメールモード（スキャンした画像を電子メールに添付する形式で送信するモード）を備える。なお、この画像形成装置１００は、さらにネットワークプリンタモードを備えていても構わない。
【００３１】
また、本発明はこれに限定されず、動作モード毎に画面が切り換わる画像形成装置であれば構わない。また、印刷方式は電子写真方式に限定されない。
【００３２】
まず、本発明の実施形態に係る画像形成装置１００について説明する。
本実施形態に係る画像形成装置１００は、図１に示すように、原稿読取部１０２、画像形成部１０４、給紙部１０６、排紙処理装置１０８、および、操作ユニット１２０を備える。
操作ユニット１２０は、タッチパネルディスプレイ１３０と表示操作部１４０とで構成される。タッチパネルディスプレイ１３０は、液晶パネル等で構成された表示パネル１３２と、表示パネル１３２に重ねて配置されたユーザの指で押圧された位置を検出するタッチパネル（タッチ操作認識手段）１３４とで構成される。表示操作部１４０は、表示灯１４２と、電源キー１４４と、省エネルギーキー（以下「省エネキー」と記載）１４６と、動作モードを選択するホーム画面ヘタッチパネルディスプレイ１３０の表示画面を戻すためのホームキー１４８とで構成される。
【００３３】
このように画像形成装置１００は、主たる操作デバイスとしてタッチパネルディスプレイ１３０を備えるとともに、ハードウェアキーおよび表示灯により構成される表示操作部１４０を備える。表示操作部１４０のキー（電源キー１４４、省エネキー１４６、ホームキー１４８）は、タッチパネルディスプレイ１３０により構成されるソフトウェアボタンと対比して、ハードウェアボタンとして構成される点が特徴である。
【００３４】
なお、画像形成装置１００は、このような構成の表示操作部１４０を備えるものに限定されず、タッチパネルディスプレイ１３０のみを備えるものであってもよい。タッチパネルディスプレイ１３０に表示されたホーム画面においてユーザが動作モードを選択すると、選択された動作モードにおける初期画面に切り換わるものであれば構わない。このような画像形成装置１００の動作モードについて説明する。
【００３５】
（コピーモード）
以下において、画像形成装置１００のコピーモードでの動作について説明する。
このコピーモードにおいては、主として、原稿読取部（以下、「スキャナ部」と称する。）１０２および画像形成部１０４が動作する。
【００３６】
画像形成装置１００においては、原稿載置台に置かれた原稿が原稿読取部１０２により画像データとして読取られ、読取られた画像データが図３に示すマイクロコンピュータ等から構成されるＣＰＵ３００に入力され、ここで画像データに各種の画像処理が施され、この画像データが画像形成部１０４へと出力される。
【００３７】
画像形成部１０４は、図２に示すように、画像データによって示される原稿の画像を記録媒体（多くの場合、記録用紙）に印刷するものであって、感光体ドラム２２２、帯電装置２２４、レーザスキャンユニット（以下、「ＬＳＵ」と称する。）２２６、現像装置２２８、転写装置２３０、クリーニング装置２３２、定着装置２３４、および図示しない除電装置等を備えている。
【００３８】
画像形成部１０４には、主搬送路２３６および反転搬送路２３８が設けられており、給紙部１０６から給紙されてきた記録用紙が主搬送路２３６に沿って搬送される。給紙部１０６は、用紙カセット２４０に収納された記録用紙、または手差トレイ２４２に載置された記録用紙を１枚ずつ引出して記録用紙を画像形成部１０４の主搬送路２３６へと送り出す。
【００３９】
画像形成部１０４の主搬送路２３６に沿って記録用紙が搬送されている途中で、記録用紙が感光体ドラム２２２と転写装置２３０との間を通過し、さらに定着装置２３４を通過して、記録用紙に対する印刷が行なわれる。
【００４０】
感光体ドラム２２２は、一方向に回転し、その表面は、クリーニング装置２３２と除電装置によりクリーニングされた後、帯電装置２２４により均一に帯電される。
【００４１】
ＬＳＵ２２６は、印刷対象の画像データに基づいてレーザ光を変調し、このレーザ光によって感光体ドラム２２２の表面を主走査方向に繰返し走査して、静電潜像を感光体ドラム２２２の表面に形成する。
【００４２】
現像装置２２８は、トナーを感光体ドラム２２２の表面に供給して静電潜像を現像し、トナー像を感光体ドラム２２２の表面に形成する。
【００４３】
転写装置２３０は、当該転写装置２３０と感光体ドラム２２２との間を通過していく記録用紙に感光体ドラム２２２の表面のトナー像を転写する。
【００４４】
定着装置２３４は、記録用紙を加熱するための加熱ローラ２４８と、記録用紙を加圧するための加圧ローラ２５０とを含む。記録用紙は、加熱ローラ２４８によって加熱され、かつ、加圧ローラ２５０によって加圧されることによって、記録用紙上に転写されたトナー像が記録用紙に定着される。この定着装置２３４へ供給される電力によりヒータを温めて加熱ローラ２４８の温度が定着に適した温度になるように制御されている。なお、省エネモードに移行すると、例えば、このヒータへ供給される電力が停止されたり削減されたりする。
【００４５】
主搬送路２３６と反転搬送路２３８との接続位置には、分岐爪２４４が配設されている。記録用紙の片面のみに印刷が行なわれる場合は、分岐爪２４４が位置決めされ、この分岐爪２４４により定着装置２３４からの記録用紙が排紙トレイ２４６または排紙処理装置１０８の方へと導かれる。
【００４６】
記録用紙の両面に印刷が行なわれる場合は、分岐爪２４４が所定方向に回動されて記録用紙が一旦排紙トレイ２４６側へ導かれた後、スイッチバック搬送されて反転搬送路２３８の方へと導かれる。記録用紙は、反転搬送路２３８を通過して、その表裏を反転されて主搬送路２３６へと再び搬送され、主搬送路２３６の再度の搬送途中で、その裏面への印刷が行なわれて排紙トレイ２４６または排紙処理装置１０８の方へと導かれる。
【００４７】
上述のようにして印刷された記録用紙は、排紙トレイ２４６または排紙処理装置１０８の方へと導かれて排紙トレイ２４６に排出され、または排紙処理装置１０８の各排紙トレイ１１０のいずれかに排出される。
【００４８】
排紙処理装置１０８では、複数の記録用紙を各排紙トレイ１１０に仕分けして排出する処理、各記録用紙にパンチングする処理、および各記録用紙にステープルする処理を施す。例えば、複数部の印刷物を作成する場合は、各排紙トレイ１１０に印刷物の一部ずつが割り当てられるように、各記録用紙を各排紙トレイ１１０に仕分けして排出し、排紙トレイ１１０毎に、排紙トレイ１１０上の各記録用紙に対しパンチングユニット１１１によるパンチング処理またはステープルユニット１１２によるステープル処理を施して印刷物を作成する。
【００４９】
（ファクシミリモード）
以下において、ファクシミリモードでの動作について説明する。
このファクシミリモードにおいては、図３に示すように、主として、送信動作は原稿読取部（スキャナ部）１０２およびＦＡＸ通信部１６０が動作することにより、受信動作はＦＡＸ通信部１６０および画像形成部１０４が動作する。
【００５０】
（送信動作）
画像形成装置１００においては、ファクシミリモードを指定して、原稿載置台に置かれた原稿が原稿読取部１０２により画像データとして読取られ、読取られた画像データが図３に示すマイクロコンピュータ等から構成されるＣＰＵ３００に入力され、ここで画像データに各種の画像処理が施され、この画像データがＦＡＸ通信部（図３のＦＡＸ通信部１６０）へと出力される。
【００５１】
図３に示すように、送信側の画像形成装置１００のＦＡＸ通信部１６０は、指定された送信側の回線を指定された送信先に接続して、画像データをファクシミリ通信規格に合致した通信データへ変換して、受信側のファクシミリ装置（例えばファクシミリ機能を備えた画像形成装置１００）へ送信する。
【００５２】
（通信動作）
回線が接続されると、受信側の画像形成装置１００のＦＡＸ通信部１６０は、送信側の画像形成装置１００のＦＡＸ通信部１６０からの通信要求信号を検出して、応答信号を送信する。その後、例えば、ＦＡＸ通信部１６０は、送信側および受信側で互いに実装されている能力情報の受渡しを行ない、利用可能な最大能力での通信速度および画像データの符号化・符号訂正方式などを決定してモデムの通信方式を設定する。この通信方式にあわせた画像信号静式を用いて、送信側の画像形成装置１００のＦＡＸ通信部１６０から受信側の画像形成装置１００のＦＡＸ通信部１６０ヘデータを送信する。送信が終了すると回線が切断される。
【００５３】
（受信動作）
受信側の画像形成装置１００のＦＡＸ通信部１６０は、受信したデータを画像データに変換して、画像形成部１０４へ送る。なお、受信したデータを画像データへ変換するのは画像形成部１０４であっても構わない。画像形成部１０４は、上述したコピーモードにおける動作と同じように、受信したデータから変換された画像データによって示される原稿の画像を記録用紙に印刷する。
【００５４】
次に、画像形成装置１００の制御ブロック構成について図面を参照して説明する。
図３に示すように、画像形成装置１００は、さらに、コピーモード、ファクシミリモードとして装置が搭載する機能の設定が可能な操作ユニット１２０と、プログラム等を記憶するためのＲＯＭ３０６と、通電が遮断された場合であってもプログラムおよびデータ等を記憶可能な不揮発性記憶領域であるハードディスク３０２と、プログラムを実行する際の記憶領域を提供するためのＲＡＭ（Ｒａｎｄｏｍ  Ａｃｃｅｓｓ  Ｍｅｍｏｒｙ）３０８とを含む。
【００５５】
画像形成装置１００は、さらに、原稿読取部１０２、画像形成部１０４、ＦＡＸ通信部１６０、操作ユニット１２０、ＲＯＭ３０６、ハードディスク３０２、およびＲＡＭ３０８に接続されるパス３１０と、パス３１０に接続された、画像形成装置としての一般的機能を実現するためのＣＰＵ３００とを含む。
【００５６】
ハードディスク３０２には、この画像形成装置１００でスキャンした原稿の画像データのファイルが記憶される。また、ハードディスク３０２には、各動作モードの初期画面データが記憶されている。（ハードディスク３０２でなくてもＲＯＭ３０６に記憶させておくことも可能）
【００５７】
ＲＯＭ３０６には、画像形成装置１００の動作を制御するのに必要なプログラムおよびデータ等が記憶されている。このＲＯＭ３０６にプログラムとともに記憶するデータとして、各動作モードの初期画面データを記憶するようにしても構わない。ＣＰＵ３００は、ＲＯＭ３０６に格納されているプログラムおよびデータに従って画像形成装置１００の制御を行なうとともに画像形成装置１００の各機能に関する制御を実行する。
【００５８】
図３に示すように、この画像形成装置１００のＦＡＸ通信部１６０には、画像データの送受信用に公衆回線が接続され、ネットワークインターフェイス３０４には、ネットワーク回線が接続されている。このネットワーク回線には、この画像形成装置１００をネットワーク対応のプリンタとして使用するコンピュータ等が接続されたり、インターネットを介して指定されたＵＲＬ（Ｕｎｉｆｏｒｍ  Ｒｅｓｏｕｒｃｅ  Ｌｏｃａｔｏｒ）により特定されるコンピュータ等が接続されたりする。このようにインターネットに接続されると、画像形成装置１００は、インターネットを介して、必要な情報を取得することができる。
【００５９】
ＲＡＭ３０８は、ＣＰＵ３００による演算および処理の結果を一時的に記憶するワーキングメモリとしての機能と、画像データを記憶するフレームメモリとしての機能とを提供する。
【００６０】
原稿読取部１０２、画像形成部１０４、操作ユニット１２０を構成するタッチパネルディスプレイ１３０および表示操作部１４０、ならびにＲＯＭ３０６、ハードディスク３０２、およびＲＡＭ３０８に対する制御は、ＣＰＵ３００が所定のプログラムを実行することにより行なわれる。なお、操作ユニット１２０は、入出力インターフェイスを介してＣＰＵ３００と通信する。
【００６１】
操作ユニット１２０は、ユーザが目視しやすいように傾斜して設けられた板状のパネルで構成される。操作ユニット１２０の表面には、その左側の領域にタッチパネルディスプレイ１３０が、右側の領域に表示操作部１４０（表示灯１４２ならびにハードウェアボタンである電源キー１４４、省エネキー１４６およびホームキー１４８）が、備えられている。タッチパネルディスプレイ１３０および表示操作部１４０は、操作ユニット１２０が全体として一体となるように構成されている。
【００６２】
上述したように、このタッチパネルディスプレイ１３０は、表示パネル１３２と、表示パネル１３２に重ねて配置されたタッチパネル１３４とで構成される。
【００６３】
このタッチパネルディスプレイ１３０においては、表示パネル１３２に、この画像形成装置１００における動作モードを選択するホーム画面、この画像形成装置１００の現在の状態、宛先指定状況、ジョブの処理状況等が表示される。表示パネル１３２のプレビュー表示領域上にはソフトウェアボタンである選択ボタンが表示され、この選択ボタンの表示されている領域を指で押すと、タッチパネル１３４がその押された位置を検出する。プログラム上で、選択ボタンの表示位置とタッチパネル１３４が押された位置とを照合することにより、画像形成装置１００の動作モード選択、機能設定および動作指示等が行なわれる。この画像形成装置１００はこのようなタッチ操作（ユーザによる押圧位置に基づくコマンド入力操作）に加えて、上述したジェスチャー操作（ユーザによる操作軌跡に基づくコマンド入力操作）にも対応している。
【００６４】
また、表示操作部１４０の表示灯１４２は、例えばＬＥＤ（Ｌｉｇｈｔ  Ｅｍｉｔｔｉｎｇ  Ｄｉｏｄｅ）で構成され、ＣＰＵ３００により点灯／消灯（／点滅）が制御される。主電源スイッチとは別に設けられた電源キー１４４をユーザが押下すると、この画像形成装置１００が待機モード（例えば主電源がオンの状態でＦＡＸ受信動作のみ可能）から通常モードへ移行して、この画像形成装置１００の全ての動作モードが使用できるようになる。この状態に連動して表示灯１４２が点灯する。さらに、ユーザが操作しない時間が予め定められた時間を経過したり、省エネキー１４６をユーザが押下したりすると、この画像形成装置１００が通常モードから省エネモードへ移行して、この画像形成装置１００の一部の動作モードしか使用できないようになる。この状態に連動して表示灯１４２が点滅する。さらに、この省エネモードのときに、省エネキー１４６をユーザが押下すると、この画像形成装置１００が省エネモードから通常モードへ移行する。ホームキー１４８は、タッチパネルディスプレイ１３０の表示を初期状態（ホーム画面）へ戻すためのハードウェアキーである。なお、電源キー１４４、省エネキー１４６およびホームキー１４８を押下したときの処理はこれらに限定されるものではない。
【００６５】
なお、表示操作部１４０のハードウェアボタン（電源キー１４４、省エネキー１４６およびホームキー１４８）には、ＣＰＵ３００により点灯／消灯（／点滅）が制御されるキーランプを埋め込むようにしても構わない。例えば、このキーランプは、円型のキーの５周囲をリング状に光らせたり、キーの中央部を光らせたりする。操作デバイスとしてハードウェアボタンを使用することが許可されているタイミングで（ハードウェアボタンを使用すると処理が実行されるタイミングで）、このキーランプが点灯する。
【００６６】
本実施形態に係る画像形成装置１００においては、上述した２つの動作モード（コピーモード、ファクスモード）を備える。タッチパネルディスプレイ１３０には、それぞれの動作モードにおける機能設定用のソフトウェアボタンと、必要に応じて、画像形成イメージであるプレビューまたは宛先設定用のボタン等が表示される。
【００６７】
動作モードが違う場合には、タッチパネルディスプレイ１３０は、異なる画面が表示される。このような場合であっても、ユーザが要求する情報を容易に見つけることのできるように、タッチパネルディスプレイ１３０は複数の領域に分割されて（かつその領域の大きさを可変として）、各領域に情報を表示するという本発明の本質的部分を備える。特にこの画像形成装置１００においては、主たる表示操作デバイスとして設けられたタッチパネルディスプレイ１３０のホーム画面において動作モードを選択すると、各動作モードの初期画面が表示される。
【００６８】
この初期画面において、（１）基本レイアウトが５つの領域（「システム領域」、「機能選択領域」、「プレビュー領域」、「アクションパネル領域」、「タスクトリガー領域」）に分割されて適切に配置されているので、左上から右下へユーザが操作することにより（このような大型のタッチパネルディスプレイ１３０を備えない従来機と同じようなユーザの視点の動線および指先の動線が実現されるために）容易に設定が可能で、（２）異なる動作モードであっても５つの領域のそれぞれに表示される概念は同じものであって、動作モードが異なってもユーザが混乱することなく操作が可能である。
以下に、このような基本レイアウトの構成について説明する。
【００６９】
まず、画像形成装置１００のタッチパネルディスプレイ１３０における基本レイアウトについて図面を参照して説明する。
タッチパネルディスプレイ１３０の基本レイアウトは、図４に示すように、横長のタッチパネルディスプレイ１３０において（例えば、横１０２４ピクセル×縦６００ピクセル）、最上部に配置されたシステム領域１０００、画面中央部に配置されたプレビュー領域（プレビュー表示領域）３０００、プレビュー領域３０００の左側に配置された機能設定／確認領域２０００（以下、機能選択領域２０００と記載する）、プレビュー領域３０００の右上部に配置されたアクションパネル領域４０００、および、プレビュー領域３０００の右下部に配置されたタスクトリガー領域（操作キー表示領域）５０００で構成される。
【００７０】
なお、タッチパネルディスプレイ１３０における領域の数は５つに限定されるものではなく、左右の並びもこれに限定されず、例えば、ユーザの利き手に応じて領域の左右の配置を逆にしても構わない。また、システム領域１０００の位置は最下部であっても構わない。また、状態もしくは設定によっては表示されなくても構わない。
【００７１】
システム領域１０００には、この画像形成装置１００の現時点での状態が表示され、操作中の動作モードのタイトル、画像形成装置１００の状況・状態が表示される。例えば、システム領域１０００には、動作モード名、割り込みキー、ログインユーザ名、処理中のジョブ状況、内蔵メモリ使用状態、時刻等が表示される。
【００７２】
機能選択領域２０００には、各機能の設定、表示の切り換え、設定の確認のためにユーザにより操作される機能選択メニュー（アイコン、ボタン等）が、アイコンモード、レギュラーモードおよびエキスプレスモードで表示態様を変更して、表示される。アイコンモードにおいては、プレビュー領域３０００が最も広くなるように機能選択領域２０００には機能設定用のアイコンのみが表示される。エキスプレスモードにおいては、プレビュー領域３０００が最も狭くなっても機能選択領域２０００には機能を一度に設定できる画面が大きく表示される。レギュラーモードにおいては、プレビュー領域３０００の大きさはアイコンモードとエキスプレスモードとの中間の大きさであって、機能選択領域２０００には機能設定のアイコンとともに機能名称がテキスト表示される。
【００７３】
これらのアイコンモード、レギュラーモードおよびエキスプレスモードの切り換えはユーザの操作に基づく。すなわち、プレビュー領域３０００の大きさが、ユーザの操作に応じて変更して表示される。このように、アイコンは、小さい領域でユーザへの情報を伝達することができるので、全ての機能に対して準備しておいて、プレビュー領域３０００が大きく表示できることが好ましい。
【００７４】
この機能選択領域２０００には、その下部に機能選択領域２０００の表示スタイルを変更する変更ボタン群２０１０を備える。変更ボタン群２０１０には、アイコンモードで機能選択領域２０００を表示するアイコンモード移行ボタン２０１２、「お気に入り」登録した機能を表示させるお気に入りボタン２０１４、設定が変更された機能を表示させるチェックボタン２０１６、選択されている動作モードにおいて設定可能な全ての機能の一覧を表示するリストボタン２０１８、レギュラーモードで機能選択領域２０００を表示するレギュラーモード移行ボタン２０２０、および、エキスプレスモードで機能選択領域２０００を表示するエキスプレスモード移行ボタン２０２２が配置されている。
【００７５】
なお、機能選択領域２０００に表示される情報が多い場合には、この機能選択領域２０００において上下方向に移動可能に情報が表示される。この場合において、この変更ボタン群２０１０は移動されないで、機能選択領域２０００の最下部に常に表示される。
【００７６】
プレビュー領域３０００には、原稿の出力（仕上がり）イメージが表示される。ダミーデータまたはスキャンデータを用いてイメージ表示し、ユーザが仕上がりを変更する毎にプレビュー領域３０００に表示されているイメージが変更される。このプレビュー領域３０００においては、スキャン前のバーチヤルモードでのダミーイメージでの仕上がり表示、スキャン後のスキャンインモードでの実イメージでの仕上がり表示の２つのモードを有し、さらにバーチヤルモードには、原稿セット前および原稿セット後の２種類がある。
【００７７】
このプレビュー領域３０００には、その下部にプレビュー領域３０００の表示スタイルを変更するプレビュー変更ボタン群３０１０を備える。プレビュー変更ボタン群３０１０には、プレビューを左に９０度回転させる左回転ボタン３０１６、プレビューを右に９０度回転させる右回転ボタン３０１８、ズームバー３０２０が配置されている。これら以外にも、例えばカラー変更ボタン３０１２およびプレビュー操作ボタン３０１４が配置されている。
【００７８】
ここで、左回転ボタン３０１６を１回タッチ操作するとプレビューが左に９０度回転されて、２回タッチ操作するとプレビューが左に１８０度回転される（上下反転）。また、プレビュー領域に表示された仕上がり原稿イメージをジェスチャー操作しても（指先で原稿イメージを反時計回転方向に１８０度回転させても）、プレビューが左に１８０度回転されて上下反転される。
【００７９】
右回転ボタン３０１８を１回タッチ操作するとプレビューが右に９０度回転されて、２回タッチ操作するとプレビューが右に１８０度回転される（上下反転）。また、プレビュー領域に表示された仕上がり原稿イメージをジェスチャー操作しても（指先で原稿イメージを時計回転方向に１８０度回転させても）、プレビューが右に１８０度回転されて上下反転される。
【００８０】
ズームバー３０２０のプラスボタン３０２０Ａをタッチ操作したり、バ−３０２０Ｃをプラスボタン３０２０Ａ側へジェスチャー操作（ドラッグまたはスライド）したりすると、プレビューが拡大して表示される。また、プレビュー領域に表示された仕上がり原稿イメージをジェスチャー操作しても（指先で原稿イメージをピンチアウト／ピンチオープンさせても）、プレビューが拡大して表示される。
【００８１】
ズームバー３０２０のマイナスボタン３０２０Ｂをタッチ操作したり、バ−３０２０Ｃをマイナスボタン３０２０Ｂ側ヘジェスチャー操作（ドラッグまたはスライド）したりすると、プレビューが縮小して表示される。また、プレビュー領域に表示された仕上がり原稿イメージをジェスチャー操作しても（指先で原稿イメージをピンチイン／ピンチクローズさせても）、プレビューが縮小して表示される。
【００８２】
なお、プレビュー領域３０００に表示される原稿イメージのページ数が多い場合には、タッチ操作可能な表示ページ選択ボタン（ページ番号入力ボタン、ページ送りボタン、ページ戻しボタン、単ページ表示ボタン、複数ページ表示ボタン等）を表示するようにしても構わない。なお、原稿イメージをスライドタッチ（フリック操作）してもプレビューされる原稿のページ送り、ページ戻しを行なうことができる。また、プレビュー領域３０００に表示される原稿イメージが大きい場合には、タッチ操作またはジェスチャー操作可能なスクロールバーを表示するようにしても構わない。
【００８３】
アクションパネル領域４０００には、操作についての補助・助言・提案についての情報が表示される。このアクションパネル領域４０００には、例えば、あるユーザが特定の機能を選択すると、その機能に関連する機能を表示したり、目的指向でその機能についての他の機能を表示したり、このユーザまたはこのユーザが所属するグループのユーザが過去に組み合わせて選択した機能を「おすすめ機能」として表示したりする。
【００８４】
タスクトリガー領域５０００には、その動作モードにおける全ての設定が完了して、この画像形成装置１００を実際に動作させるためにユーザにより操作されるトリガー一項目が表示される。例えば、処理を開始させるためのスタートボタン（ソフトウェアボタン）である。なお、印字を伴う動作モード（ファクス送信以外）において、消耗品切れについての情報も、タスクの実行不可に関連するので、この「タスクトリガー領域」に表示される。
【００８５】
この場合において、スタートボタンが押下できる状態の場合にのみ、スタートボタンを表示することも好ましい。スタートボタンが押下できる状態とは、印字を伴う動作モードの場合には、全ての設定が終了してかつ消耗品（記録用紙およびトナー）切れでない状態であって、印字を伴わない動作モードであるファクスモード（送信）の場合には、宛先を含む全ての送信パラメータの設定が終了した状態である。
【００８６】
これらの５領域は、動作モードが変更されても（どの動作モードの初期画面においても、その配置された位置は変更されない。また、機能選択領域２０００（およびプレビュー領域３０００）におけるアイコンモード／レギュラーモード／エキスプレスモードの切り換え表示のように、領域はタッチパネルディスプレイ１３０の画面横方向（長手方向）に伸縮してサイズが変化する。
【００８７】
このような５領域の配置は、従来機におけるユーザインターフェイスをも考慮しつつ、ユーザの視点の動線および操作の動線に着目して配置されている。このような配置により、タッチパネルディスプレイ１３０において、左上から右下へユーザの視線が動いて、左上から右下へユーザの操作（利き手の指先）が動く。
【００８８】
なお、ある動作モードから他の動作モードへ遷移するためには、ホームキー１４８を押下して、ホーム画面において他の動作モードを選択する。このように、ホーム画面を経由して、動作モードが切り換えられる。
【００８９】
（コピーモードの初期画面表示動作）
コピーモードが選択されると、ハードディスク３０２等から読出したコピー初期画面データを用いてタッチパネルディスプレイ１３０にコピーモードの初期画面が表示される。
このとき、例えば、タッチパネルディスプレイ１３０には、図５に示すように、コピーモード初期画面７１００が表示される。コピーモード初期画面７１００は、上述したレイアウト構成の５領域に分割されて情報が表示される。
【００９０】
コピーモード初期画面７１００のシステム領域１０００には、図５に示すように、選択されている動作モード（ここではコピーモード）を示すエリア１１０２、選択された動作モードに付随するサブ情報を表示するエリア１１０４、ログインユーザ名を表示するエリア１１０６、ログアウトボタン（ソフトウェアボタン）が表示されるエリア１１０８、現在実行中のジョブ状況を表示するエリア１１１０、ジョブ状況に関係するボタン（ソフトウェアボタン）が表示されるエリア１１１２、通信状態が表示されるエリア１１１４、現在時刻が表示されるエリア１１１６が配置されている。
【００９１】
エリア１１０２には、動作モードを示す名称または／およびアイコンが表示される。
このエリア１１０２をタッチ操作、タップ操作またはダブルタップ操作すると、動作モードを示すメニューがプルダウン表示されて動作モードを切り換えることができるようにすることも好ましい（他の動作モードにおいても同じ）。
【００９２】
エリア１１０４には、サブ情報として、割り込みキー（ソフトウェアボタン）が表示される。この割り込みキーをタッチ操作、タップ操作またはダブルタップ操作すると、コピーモードにおいて割り込み処理を実行することができる。
【００９３】
エリア１１１２には、現在実行中のジョブ状況がアイコンで表示される。このジョブ状況をタッチ操作、タップ操作またはダブルタップ操作すると、詳細なジョブ状況情報が表示される。さらに、エリア１１１２には、選択されたジョブを停止させるボタン等を表示することも好ましい。
【００９４】
コピーモード初期画面７１００の機能選択領域２０００には、コピーモードにおいてユーザが選択できる機能選択メニュー２１００および上述した変更ボタン群２０１０が表示されている。図５に示す画面では、レギュラーモードで機能選択メニューが表示されている。
【００９５】
図５に示すように、レギュラーモードで表示される機能選択メニューは、アイコン群２１００とテキスト群２１２０とで構成される。この機能選択領域２０００に表示される機能選択メニューとして、コピー一部数を設定するアイコン２１０２および設定された内容を表示するテキス卜２１２２、カラーモードを設定するアイコン２１０４および設定された内容を表示するテキスト２１２４、コピー濃度を設定するアイコン２１０６および設定された内容を表示するテキスト２１２６、コピー倍率を設定するアイコン２１０８および設定された内容を表示するテキスト２１２８、原稿の種類を設定するアイコン２１１０および設定された内容を表示するテキスト２１３０、用紙の種類を設定するアイコン２１１２および設定された内容を表示するテキスト２１３２、画像を編集するアイコン２１１４および設定された内容を表示するテキスト２１３４、レイアウトを編集するアイコン２１１６および設定された内容を表示するテキスト２１３６が表示されている。
【００９６】
なお、上述したように、これらの機能設定メニューにおけるさらなる項目は、変更ボタン群２０１０の表示位置を固定した状態で、上下方向にスクロール可能に表示することができる。そして、上下方向に隠れて表示されていない項目を含めて機能設定メニューの表示項目を切り換えることは、タッチ操作（スクロール操作）でもジェスチャー操作（上下方向へフリック操作）のいずれの操作でも可能である。
【００９７】
ここで、画像編集とは、１ページの原稿に対する画像編集であって、さらに下位の階層メニューとして、枠消去、印字メニュー、ウォータマーク、ユーザスタンプ等があり、レイアウト編集とは、複数ページの原稿に対する画像編集であって、さらに下位の階層メニューとして、ページ集約、綴じしろ、ページ移動、センタリング等がある。これらのさらなる下位メニューは、アイコン２１０２〜アイコン２１１６またはテキスト２１２２〜テキス卜２１３６をタッチ操作、タップ操作またはダブルタップ操作すると、タッチパネルディスプレイ１３０に表示される。
【００９８】
コピーモード初期画面７１００のプレビュー領域３０００には、原稿の出力（仕上がり）イメージ３１００および上述したプレビュー変更ボタン群３０１０が配置されている。このとき、ダミーデータまたはスキャンデータを用いてイメージ３１００が表示され、ユーザが機能選択領域２０００の機能設定メニューを変更する毎に、イメージ３１００が変更されてプレビュー領域３０００に表示される（プレビューの表示が変更）。
【００９９】
コピーモード初期画面７１００のアクションパネル領域４０００には、コピー操作についての補助・助言・提案についての情報が表示されている。ここでは、図５に示すように、このユーザが選択したコピーモードにおけるおすすめ機能が表示される。このとき、アクションパネル領域４０００は、表示されている情報の内容を示すエリア４１００、それ自体がソフトウェアボタンとしておすすめ機能をテキスト表示するエリア４１０２〜エリア４１０６が配置されている。
【０１００】
エリア４１０２をタッチ操作、タップ操作またはダブルタップ操作すると、省エネコピーについてのさらに詳細な情報がプルダウン表示される。例えば、このとき、「両面印刷すると用紙を節約できます」というテキストとともに両面コピーの機能設定画面へ遷移するソフトウェアボタンと、「複数の原稿を集約して印刷すると用紙を節約できます」というテキストとともにページ集約の機能設定画面へ遷移するソフトウェアボタンと、「本のように綴じられるように印刷することができます」というテキストとともに中綴じの機能設定画面へ遷移するソフトウェアボタンとが、表示される。
【０１０１】
コピーモード初期画面７１００のタスクトリガー領域５０００には、実行ボタン群５１００が表示される。この実行ボタン群５１００として、原稿をスキャンして画像データを取得するように画像形成装置１００を作動させるスキャンインキー（ソフトウェアボタン）５１０２、設定した機能をクリアするクリアオールキー（ソフトウェアボタン）５１０４、原稿をスキャンしてモノクロコピーを実行するように画像形成装置１００を作動させるモノクロスタートキー（ソフトウェアボタン）５１０６、原稿をスキャンしてカラーコピーを実行するように画像形成装置１００を作動させる力ラースタートキー（ソフトウェアボタン）５１０８が配置されている。
【０１０２】
このように、５つの領域に分割して情報が表示されたコピーモード初期画面７１００において、ユーザが要求を入力すると、その要求に従ってコピー処理が実行される。
【０１０３】
次に、機能選択領域２０００をアイコンモードで表示してプレビュー領域３０００を広げた場合の、プレビューページの変更動作について説明する。
【０１０４】
図６に示すように、プレビューのイメージ３１１８が表示されている場合において、ユーザが、プレビュー表示された画面をユーザが左へフリックすると、入力軌跡が分析される。このとき、このユーザによるジェスチャー操作はページをめくる要求であると分析されて、フリックした方向に応じた表示されていない別のページを含むプレビューイメージが表示される。
【０１０５】
また、このようにプレビューイメージが表示されるページを移動させるには、ページ送りボタン３１１８Ｇ、ページ早送りボタン３１１８Ｈ、ページ戻しボタン３１１８Ｅ、ページ早戻しボタン３１１８Ｄをタッチ操作しでも可能である。さらに、ページ直接指定ボタン３１１８Ｆをタッチして直接移動させたいページを入力することにより、プレビューイメージが表示されるページを移動させることも可能である。
【０１０６】
このように、機能選択領域２０００がアイコンモードで表示されると、プレビュー領域３０００が広がり、図６に示すように、ユーザの視認性およびユーザの操作性が高まるように、プレビューイメージを表示することができる。特に、タッチ操作またはジェスチャー操作により、表示させたいプレビューイメージまで移動して、所望のプレビューを表示させることができる。
【０１０７】
なお、図６に示すごみ箱アイコン３１１８Ａは、選択したページをごみ箱アイコン３１１８Ａまでドラッグすることによりそのページを削除することができる。
【０１０８】
また、１ページ表示アイコン３１１８Ｂを押下することにより、例えば３ページ表示していたプレビューが１ページ表示になり（このとき１ページ分を大きく表示）、複数ページ表示アイコン３１１８Ｃを押下することにより、例えば、１ページ表示していたプレビューが３ページ表示になる。
【０１０９】
次に、本実施形態の画像形成装置１００の特徴的な構成について図面を参照して説明する。
図７は本実施形態の画像形成装置のタッチパネルディスプレイを構成する表示パネルの表示態様の一例を示す説明図である。
【０１１０】
本実施形態の画像形成装置１００は、図７に示すように、タッチパネルディスプレイ１３０において、プレビュー領域３０００が画面中央部に配置され、そのプレビュー領域３０００の左側に機能選択領域２０００が配置される。また、プレビュー領域３０００の右上部にアクションパネル領域４０００が配置され、そのアクションパネル領域４０００の下部にタスクトリガー領域５０００が配置される。
【０１１１】
プレビュー領域３０００には、初期画面では仮想テンキー３００１と、装置全体をイメージするミミック表示３００２が表示されている。
【０１１２】
タスクトリガー領域５０００には、実行ボタン群５１００が表示される。
実行ボタン群５１００として、スキャンインキー５１０２、クリアオールキー５１０４、モノクロスタートキー５１０６、力ラースタートキー５１０８が配置されている。
【０１１３】
次に、本実施形態の画像形成装置１００における操作ユニット１２０の特徴的な画面表示に係る電気的構成について図面を参照して説明する。
図８は本実施形態の画像形成装置における操作ユニットの電気的構成を示すブロック図、図９は前記操作ユニットを構成するタッチパネルディスプレイの構成を示すブロック図である。
【０１１４】
本実施形態に係る操作ユニット１２０は、図８に示すように、表示パネル１３２、タッチパネル１３４に加えて、操作位置検出手段１３５、画面表示手段１３６、表示画像生成手段１３７及び操作ユニット１２０における処理・動作を制御する操作ユニット側制御部（表示制御手段）１３１を備えている。
【０１１５】
画像形成装置１００は、画像データを入力する原稿読取部１０２、画像処理手段１０３、原稿読取部１０２から入力される画像データを蓄積する蓄積手段１０５、プリンタや送信部などの画像を出力する画像出力手段１０７を備えて、主制御部１０１により動作制御される。
【０１１６】
原稿読取部１０２は、所望の原稿（画像データ）の読取りを終了した後に、さらに新たな原稿の追加読取り（追加入力）を可能とする追加読取り機能を備えている。
【０１１７】
操作位置検出手段１３５は、タッチパネル１３４上で行われる操作位置を検出する。
画面表示手段１３６は、表示画像生成手段１３７により形成された画像を表示パネル１３２上に表示する。
【０１１８】
表示画像生成手段１３７は、画像形成装置１００本体に入力された画像データに基づき操作ユニット側制御部１３１からの指示により所定の画像を形成するとともに、原稿読取部１０２により読み取られた一連の複数の原稿より構成される原稿束の表示画像を形成する機能（原稿束表示画像生成機能）を備えている。
【０１１９】
操作ユニット側制御部１３１は、画像形成装置１００本体の主制御部１０１に接続され、タッチパネルディスプレイ１３０における制御部として機能する。
【０１２０】
ここで、操作ユニット側制御部１３１について詳細に説明する。
操作ユニット側制御部１３１は、図９に示すように、原稿読取部１０２から読取られた原稿に基づく表示画像をタッチパネルディスプレイ１３０上にプレビュー表示するプレビュー表示機能と、プレビュー表示された複数ページの表示画像を移動表示するスクロール表示機能とを備えている。
【０１２１】
さらに、操作ユニット側制御部１３１は、原稿読取部１０２により読み取られた一連の複数の原稿より構成される原稿束の表示画像を表示するとともに、原稿が追加読込みされる以前に読込まれた原稿に基づく原稿束の表示画像と、追加読込みされた原稿に基づく原稿束（以下、「追加原稿束」と称する。）の表示画像との複数の原稿束の表示画像をタッチパネルディスプレイ１３０上で識別可能にプレビュー表示する原稿束表示手段１３１１を備えている。尚、本実施形態や実施例では、原稿束は複数の原稿より構成されるものとして説明するが、本発明には、原稿束が１枚の原稿より構成されるものも含まれる。
【０１２２】
原稿束表示手段１３１１は、例えば、複数の原稿束をプレビュー表示する際に、追加原稿束の表示画像を、原稿が追加読込みされる以前に読込まれた原稿に基づく原稿束の表示画像の背後に重ねて表示するようにしたり、追加原稿束の表示画像を、原稿が追加読込みされる以前に読込まれた原稿に基づく原稿束の表示画像の手前に重ねて表示するようにしたり、原稿が追加読込みされる以前に入力された原稿に基づく原稿束の表示画像を、追加原稿束の表示画像の背後に重ねて縮小表示するようにしても良い。
【０１２３】
また、操作ユニット側制御部１３１は、原稿が追加読込みされる以前に読込まれた原稿に基づく原稿束の表示画像に対応したアイコン（最小イメージ画像）を作成する最小イメージ作成手段１３１２と、作成したアイコンを追加原稿束の表示画像の周囲に表示する最小イメージ表示手段１３１３とを備えている。
【０１２４】
さらに、操作ユニット側制御部１３１は、原稿が追加読込みされる以前に入力された原稿に基づく原稿束の表示画像を格納するフォルダを作成するフォルダ作成手段１３１４と、作成したフォルダに原稿束を格納するフォルダ格納手段１３１５と、フォルダをタッチパネルディスプレイ１３０のプレビュー領域３０００にプレビュー表示された追加原稿束の表示画像の周囲に表示するフォルダ表示手段１３１６とを備えている。
【０１２５】
次に、本実施形態の画像形成装置１００において、原稿読取部１０２により原稿の追加読取りを行った場合のタッチパネルディスプレイ１３０上でのプレビュー表示について、実施例に基づき図面を参照して説明する。
【０１２６】
（実施例１）
実施例１は、画像形成装置１００において、操作ユニット側制御部１３１の原稿束表示手段１３１１により、複数の原稿束をプレビュー表示する際に、追加原稿束の表示画像を追加読込みされる以前に読込まれた原稿に基づく原稿束の表示画像の背後に重ねて表示するものである。
【０１２７】
図１０は実施例１の画像形成装置における原稿読取り後のタッチパネルディスプレイ上に表示される原稿束のプレビュー表示を示す説明図、図１１は実施例１において原稿読取り後に追加読取りを行った場合の追加原稿束を含む複数の原稿束のプレビュー表示を示す説明図、図１２は実施例１においてさらに追加読取りを行った場合の追加原稿束を含む複数の原稿束のプレビュー表示を示す説明図である。
【０１２８】
画像形成装置１００において、コピー原稿を読み取る場合は、タッチパネルディスプレイ１３０に表示されたホーム画面においてユーザがコピーモードを選択して、図７に示すように、スキャンインキー５１０２をタッチして原稿の読込みを開始する。
原稿は、例えば、原稿読取部１０２にＡ４横送りに複数枚セットされている。
【０１２９】
原稿が原稿読取部１０２に読み取られると、読み取られた複数の原稿の画像データに基づき表示画像生成手段１３７により複数の原稿よりなる原稿束をイメージする表示画像が生成されて、図１０に示すように、プレビュー領域３０００中央部に第１の原稿束ＰＰ１１が表示される。この時、第１の原稿束ＰＰ１１には、読込まれた原稿の先頭ページの画像情報が表示される。
【０１３０】
次に、追加読込みが実行されると、図１１に示すように、追加読込みされた複数の原稿の画像データに基づき表示画像生成手段１３７により第２の原稿束（追加原稿束）ＰＰ１２が生成されてプレビュー領域３０００に表示される。第２の原稿束ＰＰ１２は、第１の原稿束ＰＰ１１と同じ大きさで、第１の原稿束ＰＰ１１の背後に重ねて配置される。第２の原稿束ＰＰ１２は、その存在が確認できるように一部を第１の原稿束ＰＰ１１の下から露出した状態で配置される。
【０１３１】
さらに追加読込みが実行されると、図１２に示すように、追加読込みされた複数の原稿の画像データに基づき表示画像生成手段１３７により第３の原稿束（追加原稿束）ＰＰ１３が生成されてプレビュー領域３０００に表示される。第３の原稿束ＰＰ１３は、第１の原稿束ＰＰ１１及び第２の原稿束ＰＰ１２と同じ大きさで、第２の原稿束ＰＰ１２の背後に重ねて配置される。第３の原稿束ＰＰ１３は、その存在が確認できるように一部を第２の原稿束ＰＰ１２の下から露出した状態で配置される。
【０１３２】
このようにして、原稿読取部１０２に原稿が読み取られ、原稿が追加読込みされる毎に原稿束が形成されて、追加された原稿束が順次先にプレビュー表示された原稿束の背後に配置された状態で識別可能にプレビュー領域３０００にプレビュー表示される。
【０１３３】
尚、プレビュー領域３０００にプレビュー表示される原稿束は、色分けされたり、名前や番号を付与されたりすることで、さらに識別し易く表示するようにしてもよい。
【０１３４】
次に、画像形成装置１００のタッチパネルディスプレイ１３０上に表示された原稿束を選択して表示する場合について説明する。
図１３は実施例１の画像形成装置におけるタッチパネルディスプレイ上で所望の原稿束を選択して表示した一例を示す説明図、図１４は前記タッチパネルディスプレイ上で表示された原稿束のその他の例を示す説明図、図１５は前記タッチパネルディスプレイ上で選択された原稿束のみを表示した例を示す説明図である。
【０１３５】
実施例１において、タッチパネルディスプレイ１３０上に表示された複数の原稿束のうちから所望の原稿束を表示する場合は、目的の原稿束をタッチすることで、タッチされた原稿束が通常の大きさで最も手前に表示される。
【０１３６】
例えば、第３の原稿束ＰＰ１３を表示する場合は、タッチパネルディスプレイ１３０上で第３の原稿束ＰＰ１３のプレビュー表示をタッチすると、図１３に示すように、第３の原稿束ＰＰ１３が最も手前に表示されて、第１の原稿束ＰＰ１１及び第２の原稿束ＰＰ１２は第３の原稿束ＰＰ１３の背後に移動して表示される。
【０１３７】
その他の表示例として、図１４に示すように、第３の原稿束ＰＰ１３を最も手前に表示するときに、第１の原稿束ＰＰ１１及び第２の原稿束ＰＰ１２を縮小して第３の原稿束ＰＰ１３の背後に移動して表示するようにしてもよい。この時、第１の原稿束ＰＰ１１及び第２の原稿束ＰＰ１２は、第３の原稿束ＰＰ１３のプレビュー表示の右下で一部を第３の原稿束ＰＰ１３の背後から露出した状態で表示するようにしてもよい。
【０１３８】
また、その他の表示例として、図１５に示すように、プレビュー領域３０００上に第３の原稿束ＰＰ１３のみを通常の大きさもしくは拡大表示して、第１の原稿束ＰＰ１１及び第２の原稿束ＰＰ１２のプレビュー表示を消去した状態にしてもよい。
【０１３９】
（実施例２）
実施例２は、画像形成装置１００において、操作ユニット側制御部１３１の原稿束表示手段１３１１により、複数の原稿束をプレビュー表示する際に、追加原稿束の表示画像を追加読込みされる以前に読込まれた原稿に基づく原稿束の表示画像の手前に重ねて表示するものである。
【０１４０】
図１６は実施例２の画像形成装置における原稿読取り後のタッチパネルディスプレイ上に表示される原稿束のプレビュー表示を示す説明図、図１７は実施例２において原稿読取り後に追加読取りを行った場合の追加原稿束を含む複数の原稿束のプレビュー表示を示す説明図、図１８は実施例２においてさらに追加読取りを行った場合の追加原稿束を含む複数の原稿束のプレビュー表示を示す説明図である。
【０１４１】
原稿が原稿読取部１０２に読み取られると、読み取られた複数の原稿の画像データに基づき表示画像生成手段１３７により複数の原稿よりなる原稿束をイメージする表示画像が生成されて、図１６に示すように、プレビュー領域３０００中央部に第１の原稿束ＰＰ２１が表示される。この時、第１の原稿束ＰＰ２１には、読込まれた原稿の先頭ページの画像情報が表示される。
【０１４２】
次に、追加読込みが実行されると、図１７に示すように、追加読込みされた複数の原稿の画像データに基づき表示画像生成手段１３７により第２の原稿束（追加原稿束）ＰＰ２２が生成されてプレビュー領域３０００に表示される。第２の原稿束ＰＰ２２は、第１の原稿束ＰＰ２１と同じ大きさで、第１の原稿束ＰＰ２１の手前に重ねて配置される。第１の原稿束ＰＰ２１は、その存在が確認できるように一部を第２の原稿束ＰＰ２２の下から露出した状態で配置される。
【０１４３】
さらに追加読込みが実行されると、図１８に示すように、追加読込みされた複数の原稿の画像データに基づき表示画像生成手段１３７により第３の原稿束（追加原稿束）ＰＰ２３が生成されてプレビュー領域３０００に表示される。第３の原稿束ＰＰ２３は、第１の原稿束ＰＰ２１及び第２の原稿束ＰＰ２２と同じ大きさで、第２の原稿束ＰＰ２２の手前に重ねて配置される。第２の原稿束ＰＰ２２は、その存在が確認できるように一部を第３の原稿束ＰＰ２３の下から露出した状態で配置される。
【０１４４】
このようにして、原稿読取部１０２に原稿が読み取られ、原稿が追加読込みされる毎に原稿束が形成されて、追加された原稿束が順次先にプレビュー表示された原稿束の手前に配置された状態で識別可能にプレビュー領域３０００にプレビュー表示される。
【０１４５】
尚、プレビュー領域３０００にプレビュー表示される原稿束は、実施例１と同様に、色分けされたり、名前や番号を付与されたりすることで、さらに識別し易く表示するようにしてもよい。
【０１４６】
次に、画像形成装置１００のタッチパネルディスプレイ１３０上に表示された原稿束を選択して表示する場合について説明する。
図１９は実施例２の画像形成装置におけるタッチパネルディスプレイ上で所望の原稿束を選択して表示した一例を示す説明図、図２０は前記タッチパネルディスプレイ上で表示された原稿束のその他の例を示す説明図、図２１は前記タッチパネルディスプレイ上で選択された原稿束のみを表示した例を示す説明図である。
【０１４７】
実施例２において、タッチパネルディスプレイ１３０上に表示された複数の原稿束のうちから所望の原稿束を表示する場合は、目的の原稿束をタッチすることで、タッチされた原稿束が通常の大きさで最も手前に表示される。
【０１４８】
例えば、第１の原稿束ＰＰ２１を表示する場合は、タッチパネルディスプレイ１３０上で第１の原稿束ＰＰ２１のプレビュー表示をタッチすると、図１９に示すように、第１の原稿束ＰＰ２１が最も手前に表示されて、第２の原稿束ＰＰ２２及び第３の原稿束ＰＰ２３は第１の原稿束ＰＰ２１の背後に移動して表示される。
【０１４９】
その他の表示例として、図２０に示すように、第１の原稿束ＰＰ２１を最も手前に表示するときに、第２の原稿束ＰＰ２２及び第３の原稿束ＰＰ２３を縮小して第１の原稿束ＰＰ２１の背後に移動して表示するようにしてもよい。この時、第２の原稿束ＰＰ２２及び第３の原稿束ＰＰ２３は、第１の原稿束ＰＰ２１のプレビュー表示の左下で一部を第１の原稿束ＰＰ２１の背後露出した状態で表示するようにしてもよい。
【０１５０】
また、その他の表示例として、図２１に示すように、プレビュー領域３０００上に第１の原稿束ＰＰ２１のみを通常の大きさもしくは拡大表示して、第２の原稿束ＰＰ２２及び第３の原稿束ＰＰ２３のプレビュー表示を消去した状態にしてもよい。
【０１５１】
（実施例３）
実施例３は、画像形成装置１００において、操作ユニット側制御部１３１の原稿束表示手段１３１１により、複数の原稿束をプレビュー表示する際に、追加原稿束の表示画像を追加読込みされる以前に読込まれた原稿に基づく原稿束の表示画像の手前に重ねて表示するとともに、追加読込みされる以前に読込まれた原稿に基づく原稿束の表示画像を縮小して、追加原稿束の表示画像の背後に重ねて表示するものである。
【０１５２】
図２２は実施例３の画像形成装置における原稿読取り後のタッチパネルディスプレイ上に表示される原稿束のプレビュー表示を示す説明図、図２３は実施例３において原稿読取り後に追加読取りを行った場合の追加原稿束を含む複数の原稿束のプレビュー表示を示す説明図、図２４は実施例３においてさらに追加読取りを行った場合の追加原稿束を含む複数の原稿束のプレビュー表示を示す説明図である。
【０１５３】
原稿が原稿読取部１０２に読み取られると、読み取られた複数の原稿の画像データに基づき表示画像生成手段１３７により複数の原稿よりなる原稿束をイメージする表示画像が生成されて、図２２に示すように、プレビュー領域３０００中央部に第１の原稿束ＰＰ３１が表示される。この時、第１の原稿束ＰＰ３１には、読込まれた原稿の先頭ページの画像情報が表示される。
【０１５４】
次に、追加読込みが実行されると、図２３に示すように、追加読込みされた複数の原稿の画像データに基づき表示画像生成手段１３７により第２の原稿束（追加原稿束）ＰＰ３２が生成されてプレビュー領域３０００に表示される。第２の原稿束ＰＰ３２は、第１の原稿束ＰＰ３１の手前に重ねて配置される。第１の原稿束ＰＰ３１は、第２の原稿束ＰＰ３２よりも縮小されて、第２の原稿束ＰＰ３２の背後の左上に移動して、その存在が確認できるように一部を第２の原稿束ＰＰ３２の下から露出した状態で配置される。
【０１５５】
さらに追加読込みが実行されると、図２４に示すように、追加読込みされた複数の原稿の画像データに基づき表示画像生成手段１３７により第３の原稿束（追加原稿束）ＰＰ３３が生成されてプレビュー領域３０００に表示される。第３の原稿束ＰＰ３３は、第２の原稿束ＰＰ３２の手前に重ねて配置される。第２の原稿束ＰＰ３２は、第１の原稿束ＰＰ３１と同様に、第３の原稿束ＰＰ３３よりも縮小されて、第３の原稿束ＰＰ３３の背後の左上に移動して、その存在が確認できるように一部を第３の原稿束ＰＰ３３の下から露出した状態で配置される。
【０１５６】
このようにして、原稿読取部１０２に原稿が読み取られ、原稿が追加読込みされる毎に原稿束が形成されて、追加された原稿束が順次先にプレビュー表示された原稿束の手前に配置された状態で識別可能にプレビュー領域３０００にプレビュー表示される。
【０１５７】
尚、プレビュー領域３０００にプレビュー表示される原稿束は、実施例１、実施例２と同様に、色分けされたり、名前や番号を付与されたりすることで、さらに識別し易く表示するようにしてもよい。
【０１５８】
次に、画像形成装置１００のタッチパネルディスプレイ１３０上に表示された原稿束を選択して表示する場合について説明する。
図２５は実施例３の画像形成装置におけるタッチパネルディスプレイ上で所望の原稿束を選択して表示した一例を示す説明図、図２６，図２７は前記タッチパネルディスプレイ上で表示された原稿束のその他の例を示す説明図、図２８は前記タッチパネルディスプレイ上で選択された原稿束のみを表示した例を示す説明図である。
【０１５９】
実施例３において、タッチパネルディスプレイ１３０上に表示された複数の原稿束のうちから所望の原稿束を表示する場合は、目的の原稿束をタッチすることで、タッチされた原稿束が通常の大きさで最も手前に表示される。
【０１６０】
例えば、第１の原稿束ＰＰ３１を表示する場合は、タッチパネルディスプレイ１３０上で第１の原稿束ＰＰ３１のプレビュー表示をタッチすると、図２５に示すように、第１の原稿束ＰＰ３１が拡大されて第３の原稿束ＰＰ３３の手前に配置されて表示される。第２の原稿束ＰＰ３２及び第３の原稿束ＰＰ３３はそのまま第１の原稿束ＰＰ２１の背後に移動して表示される。
【０１６１】
その他の表示例として、図２６に示すように、第１の原稿束ＰＰ３１を最も手前に表示するときに、第３の原稿束ＰＰ３３を縮小して第１の原稿束ＰＰ２１の背後に移動して、第２の原稿束ＰＰ３２の手前に重ねた状態で表示するようにしてもよい。
【０１６２】
また、その他の表示例として、図２７に示すように、第１の原稿束ＰＰ３１を最も手前に表示するときに、第３の原稿束ＰＰ３３を縮小して第１の原稿束ＰＰ３１の背後の右下に移動して、一部を第１の原稿束ＰＰ３１の背後から露出した状態で表示するようにしてもよい。
【０１６３】
さらに、その他の表示例として、図２８に示すように、プレビュー領域３０００上に第１の原稿束ＰＰ３１のみを通常の大きさもしくは拡大表示して、第２の原稿束ＰＰ３２及び第３の原稿束ＰＰ３３のプレビュー表示を消去した状態にしてもよい。
【０１６４】
（実施例４）
実施例４は、画像形成装置１００において、操作ユニット側制御部１３１の原稿束表示手段１３１１により、複数の原稿束をプレビュー表示する際に、最小イメージ作成手段１３１２により、原稿が追加読込みされる以前に読込まれた原稿に基づく原稿束の表示画像に対応したアイコンを作成して、最小イメージ表示手段１３１３により、作成したアイコンを追加原稿束の表示画像の周囲に表示するものである。
【０１６５】
図２９は実施例４の画像形成装置における原稿読取り後のタッチパネルディスプレイ上に表示される原稿束のプレビュー表示を示す説明図、図３０は実施例４において原稿読取り後に追加読取りを行った場合の追加原稿束のプレビュー表示を示す説明図、図３１は実施例４においてさらに追加読取りを行った場合の追加原稿束のプレビュー表示を示す説明図である。
【０１６６】
原稿が原稿読取部１０２に読み取られると、読み取られた複数の原稿の画像データに基づき表示画像生成手段１３７により複数の原稿よりなる原稿束をイメージする表示画像が生成されて、図２９に示すように、プレビュー領域３０００中央部に第１の原稿束ＰＰ４１が表示される。この時、第１の原稿束ＰＰ４１には、読込まれた原稿の先頭ページの画像情報が表示される。
【０１６７】
次に、追加読込みが実行されると、図３０に示すように、追加読込みされた複数の原稿の画像データに基づき表示画像生成手段１３７により第２の原稿束（追加原稿束）ＰＰ４２が生成されてプレビュー領域３０００に表示される。第１の原稿束ＰＰ４１はアイコン化されて表示される。すなわち、第１の原稿束ＰＰ４１に換って最小イメージ作成手段１３１２により作成された第１の原稿束ＰＰ４１に対応した第１のアイコンＰＡ４１が表示される。第１のアイコンＰＡ４１は、第２の原稿束ＰＰ４２の左上に表示される。
【０１６８】
さらに追加読込みが実行されると、図３１に示すように、追加読込みされた複数の原稿の画像データに基づき表示画像生成手段１３７により第３の原稿束（追加原稿束）ＰＰ４３が生成されてプレビュー領域３０００に表示される。第２の原稿束ＰＰ４２は、第１の原稿束ＰＰ４１と同様にアイコン化されて表示される。すなわち、第２の原稿束ＰＰ４２に換って最小イメージ作成手段１３１２により作成された第２の原稿束ＰＰ４１に対応した第２のアイコンＰＡ４２が表示される。第２のアイコンＰＡ４２は、第２の原稿束ＰＰ４２の左上に第１のアイコンＰＡ４１と並んで表示される。
【０１６９】
なお、実施例４においては、原稿束に換って表示されるアイコンは、原稿束を縮小したイメージ画像として表示される。
【０１７０】
このようにして、原稿読取部１０２に原稿が読み取られ、原稿が追加読込みされる毎に原稿束が形成されて、追加読込みされた最後の原稿束のみがプレビュー領域３０００にプレビュー表示される。そして、先に読込まれた原稿束はアイコン化されて最後の原稿束の上部に並んで表示される。これにより、複数の原稿束の識別が可能になる。
【０１７１】
尚、プレビュー領域３０００にプレビュー表示されるアイコン化された原稿束は、実施例１、実施例２と同様に、色分けされたり、名前や番号を付与されたりすることで、さらに識別し易く表示するようにしてもよい。また、アイコン化された原稿束は、通常の原稿束の状態よりも明度低下した状態で表示することで、表示されている原稿束との識別化を図るようにしてもよい。
【０１７２】
次に、画像形成装置１００のタッチパネルディスプレイ１３０上に表示された原稿束を選択して表示する場合について説明する。
図３２は実施例４の画像形成装置におけるタッチパネルディスプレイ上で所望の原稿束を選択して表示した一例を示す説明図、図３３，図３４は前記タッチパネルディスプレイ上で表示された原稿束のその他の例を示す説明図、図３５は前記タッチパネルディスプレイ上で選択された原稿束のみを表示した例を示す説明図である。
【０１７３】
実施例４において、タッチパネルディスプレイ１３０上に表示された複数の原稿束のアイコンのうちから所望の原稿束を表示する場合は、目的の原稿束のアイコンをタッチすることで、タッチされたアイコンが拡大されて通常の原稿束となって表示される。
【０１７４】
例えば、第１の原稿束ＰＰ４１を表示する場合は、タッチパネルディスプレイ１３０上で第１のアイコンＰＡ４１をタッチすると、図３２に示すように、第１のアイコンＰＡ４１が拡大されて第３の原稿束ＰＰ３３の手前に重ねて表示される。
【０１７５】
その他の表示例として、図３３に示すように、第１の原稿束ＰＰ４１を表示するときに、第３の原稿束ＰＰ４３をアイコン化して第３のアイコンＰＡ４３として、第２のアイコンＰＡ４２の隣に並べて表示するようにしてもよい。
【０１７６】
また、その他の表示例として、図３４に示すように、第１の原稿束ＰＰ３１を表示するときに、第３の原稿束ＰＰ４３を縮小して第１の原稿束ＰＰ４１の背後の右下に移動して、一部を第１の原稿束ＰＰ４１の背後から露出した状態で表示するようにしてもよい。
【０１７７】
さらに、その他の表示例として、図３５に示すように、プレビュー領域３０００上に第１の原稿束ＰＰ４１のみを通常の大きさもしくは拡大表示して、第２のアイコンＰＡ４２及び第３のアイコンＰＡ４３を消去した状態にしてもよい。
【０１７８】
（実施例５）
実施例５は、画像形成装置１００において、操作ユニット側制御部１３１の原稿束表示手段１３１１により、複数の原稿束をプレビュー表示する際に、フォルダ作成手段１３１４により、原稿が追加読込みされる以前に入力された原稿に基づく原稿束の表示画像を格納するフォルダを作成して、フォルダ格納手段１３１５により、作成したフォルダに原稿束を格納して、フォルダ表示手段１３１６により、そのフォルダをタッチパネルディスプレイ１３０のプレビュー領域３０００にプレビュー表示された追加原稿束の表示画像の周囲に表示するものである。
【０１７９】
図３６は実施例５の画像形成装置における原稿読取り後のタッチパネルディスプレイ上に表示される原稿束のプレビュー表示を示す説明図、図３７は実施例５において原稿読取り後に追加読取りを行った場合の追加原稿束のプレビュー表示を示す説明図、図３８は実施例５においてさらに追加読取りを行った場合の追加原稿束のプレビュー表示を示す説明図である。
【０１８０】
原稿が原稿読取部１０２に読み取られると、読み取られた複数の原稿の画像データに基づき表示画像生成手段１３７により複数の原稿よりなる原稿束をイメージする表示画像が生成されて、図３６に示すように、プレビュー領域３０００中央部に第１の原稿束ＰＰ５１が表示される。この時、第１の原稿束ＰＰ５１には、読込まれた原稿の先頭ページの画像情報が表示される。
【０１８１】
次に、追加読込みが実行されると、図３７に示すように、追加読込みされた複数の原稿の画像データに基づき表示画像生成手段１３７により第２の原稿束（追加原稿束）ＰＰ５２が生成されてプレビュー領域３０００に表示される。第１の原稿束ＰＰ５１に換ってフォルダ作成手段１３１４により作成されたフォルダＰＦ５０が表示される。フォルダＰＦ５０は、縮小表示された状態で第２の原稿束ＰＰ５２の左上に表示される。そして、フォルダＰＦ５０には第１の原稿束ＰＰ５１が格納されている。
【０１８２】
さらに追加読込みが実行されると、図３８に示すように、追加読込みされた複数の原稿の画像データに基づき表示画像生成手段１３７により第３の原稿束（追加原稿束）ＰＰ５３が生成されてプレビュー領域３０００に表示される。第２の原稿束ＰＰ５２は、第１の原稿束ＰＰ４１と同様にフォルダＰＦ５０に格納される。
【０１８３】
このようにして、原稿読取部１０２に原稿が読み取られ、原稿が追加読込みされる毎に原稿束が形成されて、追加読込みされた最後の原稿束のみがプレビュー領域３０００にプレビュー表示される。そして、先に読込まれた原稿束は順次フォルダＰＦ５０に格納される。これにより、最後に追加読込みされた原稿束の識別が可能になる。
【０１８４】
尚、プレビュー表示されるフォルダＰＦ５０には、格納されている原稿束の数などのフォルダ情報を表示するようにしてもよい。実施例５においては、図３７に示すように、フォルダＰＦ５０内に第１の原稿束ＰＰ５１が格納されている場合は「１」と付記され、図３８に示すように、フォルダＰＦ５０内に第１の原稿束ＰＰ５１と第２の原稿束ＰＰ５２の２個の原稿束が格納されている場合は「２」と付記されている。
【０１８５】
次に、画像形成装置１００の原稿読取部１０２により読取られた原稿束をフォルダＰＦ５０内から選択してプレビュー領域３０００に表示する場合について説明する。
図３９は実施例５の画像形成装置におけるタッチパネルディスプレイ上でフォルダ内をプレビュー表示した一例を示す説明図、図４０は前記タッチパネルディスプレイ上に表示されるプレビュー表示のその他の例を示す説明図、図４１は前記タッチパネルディスプレイ上にフォルダのみを表示した例を示す説明図、図４２は実施例５におけるフォルダ内の表示の一例を示す説明図である。
【０１８６】
実施例５において、原稿読取部１０２に読み取られた複数の原稿束のうちから所望の原稿束を表示する場合は、まず、フォルダＰＦ５０をタッチしてフォルダＰＦ５０を開き、フォルダＰＦ５０内より所望する原稿束を選択する。
【０１８７】
フォルダＰＦ５０をタッチすると、図３９に示すように、フォルダＰＦ５０が開いた状態の原稿束一覧ＰＦ５１が第３の原稿束ＰＰ５３の手前に重ねて表示される。
【０１８８】
原稿束一覧ＰＦ５１のその他の表示例として、図４０に示すように、フォルダＰＦ５０を開いて原稿束一覧ＰＦ５１を表示するときに、第３の原稿束ＰＰ３３を縮小して、原稿束一覧ＰＦ５１の右下に表示するようにしてもよい。
【０１８９】
また、その他の表示例として、図４１に示すように、フォルダＰＦ５０を開いて原稿束一覧ＰＦ５１を表示するときに、プレビュー領域３０００上に原稿束一覧ＰＦ５１のみを表示して、第３の原稿束ＰＰ５３を消去した状態にしてもよい。
【０１９０】
なお、原稿束一覧ＰＦ５１内の表示形態は、例えば、図４２に示すように、第１の原稿束ＰＰ５１、第２の原稿束ＰＰ５２、第３の原稿束ＰＰ５３に含まれる複数の原稿を、それぞれの原稿束毎に並べて表示するようにしてもよい。また、第１の原稿束ＰＰ５１、第２の原稿束ＰＰ５２、第３の原稿束ＰＰ５３等の原稿束の表示範囲毎に色を変えて識別し易くしても良い。図中の符号Ｐ１１・・・，Ｐ２１・・・，Ｐ３１・・・は原稿を示す。
【０１９１】
次に、フォルダＰＦ５０内より所望する原稿束を選択して表示する場合について説明する。
図４３は実施例５のフォルダ内から所望の原稿束を選択してタッチパネルディスプレイ上に表示した一例を示す説明図、図４４，図４５は前記タッチパネルディスプレイ上で表示された原稿束のその他の例を示す説明図、図４６は前記タッチパネルディスプレイ上で選択された原稿束のみを表示した例を示す説明図である。
【０１９２】
実施例５において、タッチパネルディスプレイ１３０上に所望の原稿束を表示する場合は、表示されたフォルダＰＦ５０内の複数の原稿束のうちから所望する原稿束をタッチする。タッチされた原稿束は、拡大されて通常の原稿束となってタッチパネルディスプレイ１３０上に表示される。
【０１９３】
例えば、第１の原稿束ＰＰ５１を表示する場合は、フォルダＰＦ５０が開かれた原稿束一覧ＰＦ５１内で縮小表示された第１の原稿束ＰＰ５１をタッチすることで、図４３に示すように、第１の原稿束ＰＰ５１がタッチパネルディスプレイ１３０上に拡大されて第３の原稿束ＰＰ５３の手前に重ねて表示される。
【０１９４】
その他の表示例として、図４４に示すように、第１の原稿束ＰＰ５１を表示するときに、第３の原稿束ＰＰ５３を縮小して第１の原稿束ＰＰ５１の背後の右下に移動して、一部を第１の原稿束ＰＰ５１の背後から露出した状態で表示するようにしてもよい。
【０１９５】
また、その他の表示例として、図４５に示すように、第１の原稿束ＰＰ３１を表示するときに、第３の原稿束ＰＰ５３を消去して、プレビュー領域３０００上にフォルダＰＦ５０と第１の原稿束ＰＰ５１を表示するようにしてもよい。
【０１９６】
さらに、その他の表示例として、図４６に示すように、プレビュー領域３０００上に第１の原稿束ＰＰ５１のみを通常の大きさもしくは拡大表示して、フォルダＰＦ５０やその他の原稿束を消去した状態にしてもよい。
【０１９７】
以上のように構成したので、本実施形態によれば、タッチパネルディスプレイ１３０を有する操作ユニット１２０を備える画像形成装置１００において、タッチパネルディスプレイ１３０に具備される表示画像生成手段１３７の機能として、蓄積手段１０５に蓄積された複数の原稿の画像データに基づく原稿束の表示画像を生成する機能を備え、操作ユニット１２０を制御する操作ユニット側制御部１３１の構成として、原稿束表示手段１３１１、最小イメージ作成手段１３１２、最小イメージ表示手段１３１３、フォルダ作成手段１３１４、フォルダ格納手段１３１５及びフォルダ表示手段１３１６を備えることで、原稿が追加読込みされる以前に読込まれた原稿の画像データに基づく原稿束の表示画像と、追加読取りされた原稿の画像データに基づく追加原稿束の表示画像とを同じ表示パネル１３２上で識別可能にプレビュー表示することができ、表示パネル１３２の表示画面を切替えることなく、複数の原稿束を認識できるとともに所望する原稿束を容易に識別することができ、しかも、原稿束間の相関性の確認が可能となり、読込まれた原稿の全体像を容易に把握することができる。
【０１９８】
尚、上述した実施形態や実施例では、本発明に係る操作ユニット１２０を図１に示すような画像形成装置１００に適用した例について説明したが、印刷する前に表示パネル等に原稿画像をプレビュー表示が可能な操作ユニットを備える画像形成装置であれば、上述したような構成の画像形成装置や複写機に限定されるものではなく、その他の画像形成装置等に展開が可能である。
【０１９９】
以上のように、本発明は、上述した実施形態や実施例に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【０２００】
１００  画像形成装置
１０１  主制御部
１０２  原稿読取部（入力手段）
１０３  画像処理手段
１０４  画像形成部
１０５  蓄積手段
１０７  画像出力手段
１２０  操作ユニット（画像表示操作装置）
１３０  タッチパネルディスプレイ（表示制御手段）
１３１  操作ユニット側制御部
１３２  表示パネル（表示手段）
１３４  タッチパネル
１３５  操作位置検出手段
１３６  画面表示手段
１３７  表示画像生成手段
１０００  システム領域
１３１１  原稿束表示手段
１３１２  最小イメージ作成手段
１３１３  最小イメージ表示手段
１３１４  フォルダ作成手段
１３１５  フォルダ格納手段
１３１６  フォルダ表示手段
２０００  機能選択領域
３０００  プレビュー領域
４０００  アクションパネル領域
５０００  タスクトリガー領域
Ｐ１１，Ｐ２１，Ｐ３１  原稿（画像データ）
ＰＡ４１  第１のアイコン（最小イメージ画像）
ＰＡ４２  第２のアイコン（最小イメージ画像）
ＰＡ４３  第３のアイコン（最小イメージ画像）
ＰＦ５０  フォルダ
ＰＦ５１  原稿束一覧
ＰＰ１１，ＰＰ２１，ＰＰ３１，ＰＰ４１，ＰＰ５１  第１の原稿束（表示画像）
ＰＰ１２，ＰＰ２２，ＰＰ３２，ＰＰ４２，ＰＰ５２  第２の原稿束（表示画像）
ＰＰ１３，ＰＰ２３，ＰＰ３３，ＰＰ４３，ＰＰ５３  第３の原稿束（表示画像）
【図１】
0005456616.tif 000002
【図２】
0005456616.tif 000003
【図３】
0005456616.tif 000004
【図４】
0005456616.tif 000005
【図５】
0005456616.tif 000006
【図６】
0005456616.tif 000007
【図７】
0005456616.tif 000008
【図８】
0005456616.tif 000009
【図９】
0005456616.tif 000010
【図１０】
0005456616.tif 000011
【図１１】
0005456616.tif 000012
【図１２】
0005456616.tif 000013
【図１３】
0005456616.tif 000014
【図１４】
0005456616.tif 000015
【図１５】
0005456616.tif 000016
【図１６】
0005456616.tif 000017
【図１７】
0005456616.tif 000018
【図１８】
0005456616.tif 000019
【図１９】
0005456616.tif 000020
【図２０】
0005456616.tif 000021
【図２１】
0005456616.tif 000022
【図２２】
0005456616.tif 000023
【図２３】
0005456616.tif 000024
【図２４】
0005456616.tif 000025
【図２５】
0005456616.tif 000026
【図２６】
0005456616.tif 000027
【図２７】
0005456616.tif 000028
【図２８】
0005456616.tif 000029
【図２９】
0005456616.tif 000030
【図３０】
0005456616.tif 000031
【図３１】
0005456616.tif 000032
【図３２】
0005456616.tif 000033
【図３３】
0005456616.tif 000034
【図３４】
0005456616.tif 000035
【図３５】
0005456616.tif 000036
【図３６】
0005456616.tif 000037
【図３７】
0005456616.tif 000038
【図３８】
0005456616.tif 000039
【図３９】
0005456616.tif 000040
【図４０】
0005456616.tif 000041
【図４１】
0005456616.tif 000042
【図４２】
0005456616.tif 000043
【図４３】
0005456616.tif 000044
【図４４】
0005456616.tif 000045
【図４５】
0005456616.tif 000046
【図４６】
0005456616.tif 000047